(57)【要約】【課題】撮像された画像の整理を簡便に行えるようにする。【解決手段】撮像処理ソフトウェア２０２は、カメラを制御し、画像の撮像を行う。撮像処理ソフトウェア２０２は、ユーザにより、撮像された画像の画像データを記憶させるためのフォルダの選択が指示された場合、アルバム処理ソフトウェア２０３を起動させる。起動されたアルバム処理ソフトウェア２０３により、画像データが記憶されるアルバムが選択されるための処理が実行される。アルバムが選択されると、撮像処理ソフトウェア２０２による処理が再開される。その結果、撮像された画像の画像データは、選択されたアルバムに対応するフォルダに記憶される。従って、画像の撮像と同時に、その画像の分類を行うことが可能となる。本発明は、画像を撮像するデジタルカメラなどに適用できる。【選択図】　　　図４
2004128803.tif 000002
【特許請求の範囲】
【請求項１】
コンテンツデータを取得する取得手段と、
前記コンテンツデータを記憶する記憶手段と、
前記取得手段により取得される前記コンテンツデータを記憶する前記記憶手段の所定の領域を、前記取得手段が前記コンテンツデータを取得する前に設定する設定手段と、
前記取得手段により前記コンテンツデータが取得されたとき、前記設定手段により設定されている前記所定の領域に、前記取得手段により取得された前記コンテンツデータを記憶するように制御する制御手段と
を備えることを特徴とする情報処理装置。
【請求項２】
前記所定の領域とは、フォルダである
ことを特徴とする請求項１に記載の情報処理装置。
【請求項３】
前記記憶手段は、前記所定の領域とは異なる領域に、前記コンテンツデータを記憶し、前記所定の領域に前記コンテンツデータへのパスに関するデータを記憶する
ことを特徴とする請求項１に記載の情報処理装置。
【請求項４】
前記設定手段は、前記所定の領域を新たに設定できる
ことを特徴とする請求項１に記載の情報処理装置。
【請求項５】
前記設定手段は、プルダウン機能を有するボタンを備え、そのボタンが操作されることにより設定された前記所定の領域を設定する
ことを特徴とする請求項１に記載の情報処理装置。
【請求項６】
前記取得手段は、撮影、録画、録音のいずれかの処理により作成された前記コンテンツデータを取得する
ことを特徴とする請求項１に記載の情報処理装置。
【請求項７】
コンテンツデータを取得する取得手段を備える情報処理装置の情報処理方法において、
コンテンツデータを取得する取得ステップと、
前記取得ステップの処理で取得される前記コンテンツデータを記憶する所定の領域を、前記取得ステップの処理で前記コンテンツデータが取得される前に設定する設定ステップと、
前記取得ステップの処理で前記コンテンツデータが取得されたとき、前記設定ステップの処理で設定された前記所定の領域に、前記取得ステップの処理で取得された前記コンテンツデータを記憶するように制御する制御ステップと
を備えることを特徴とする情報処理方法。
【請求項８】
コンテンツデータを取得する取得手段を備える情報処理装置を制御するコンピュータに、
コンテンツデータを取得する取得ステップと、
前記取得ステップの処理で取得される前記コンテンツデータを記憶する所定の領域を、前記取得ステップの処理で前記コンテンツデータが取得される前に設定する設定ステップと、
前記取得ステップの処理で前記コンテンツデータが取得されたとき、前記設定ステップの処理で設定された前記所定の領域に、前記取得ステップの処理で取得された前記コンテンツデータを記憶するように制御する制御ステップと
を実行させることを特徴とするプログラム。
【請求項９】
前記取得ステップは第１のプログラムとして構成され、前記設定ステップは第２のプログラムとして構成され、前記第１のプログラムは、前記第２のプログラムを起動するステップを含む
ことを特徴とする請求項８に記載のプログラム。
【発明の詳細な説明】
【０００１】
【発明の属する技術分野】
本発明は情報処理装置および方法、並びにプログラムに関し、特に、画像を撮像するカメラなどを備えた装置に用いて好適な情報処理装置および方法、並びにプログラムに関する。
【０００２】
【従来の技術】
近年、画像を撮像するための装置として、従来のカメラだけでなく、携帯可能なモバイルコンピュータ、ＰＤＡ（Ｐｅｒｓｏｎａｌ　Ｄｉｇｉｔａｌ　Ａｓｓｉｓｔａｎｃｅ）、携帯電話など、従来、画像を撮像する機能を有しなかった、また、本来画像を撮像するための装置でなかったものまでが、画像を撮像する装置として用いられるようになってきている。
【０００３】
このような状況は、画像を撮像するという行為をより身近な行為とし、そのために、画像を撮像する機会が増え、撮像された画像の枚数が増えるといった傾向にある。そのために、撮像した画像を整理しないと、所望の画像を検索しづらくなる、記憶させるデータ量が増し、小さい記憶容量しか有しない装置では扱いづらくなるといった問題が発生する可能性があった。
【０００４】
そのような問題を解決するために、例えば、撮像した後に、他の記録媒体に、撮像された画像の画像データを移動させる、その画像を整理するといった処理などを行うためのソフトウェアが存在する（例えば、特許文献１、非特許文献１参照。）。
【０００５】
【特許文献１】
特開２００２−２０２９０５号公報
【非特許文献１】
ソニー株式会社、“ＰｉｃｔｕｒｅＧｅａｒＳｔｕｄｉｏ、ｖｅｒ１．０”、［ｏｎｌｉｎｅ］、［平成１４年９月２５日検索］、インターネット＜ｈｔｔｐ：／／ｖａｉｏ．ｓｏｎｙ．ｃｏ．ｊｐ／Ｐｒｏｄｕｃｔｓ／Ｓｏｆｔｗａｒｅ＿０２ｑ３／ＰｉｃｔｕｒｅＧｅａｒＳｔｕｄｉｏ／＞
【０００６】
【発明が解決しようとする課題】
上述したように、画像を撮像する機会が増すことにより、画像をより簡便に管理するための仕組みが必要となる。撮像した後の時点で、画像を管理することは、画像の枚数が多いときには、特に管理しづらいといった問題が顕著化する。
【０００７】
例えば、撮像した後の時点で画像を分類するということを考えたとき、撮像したときから時間がたっていると、撮像した画像を参照しても、どのような状況で撮像された画像であったのかが思い出せずに、その画像をどのようなカテゴリーに分類したらよいかなどがわからず、結局、分類しきれないといったようなことがあった。
【０００８】
本発明はこのような状況に鑑みてなされたものであり、撮像時に、撮像される画像を、ユーザが所望するカテゴリーに分類し、撮像された画像の整理などを簡便に行えるようにすることを目的とする。
【０００９】
【課題を解決するための手段】
本発明の情報処理装置は、コンテンツデータを取得する取得手段と、コンテンツデータを記憶する記憶手段と、取得手段により取得されるコンテンツデータを記憶する記憶手段の所定の領域を、取得手段がコンテンツデータを取得する前に設定する設定手段と、取得手段によりコンテンツデータが取得されたとき、設定手段により設定されている所定の領域に、取得手段により取得されたコンテンツデータを記憶するように制御する制御手段とを備えることを特徴とする。
【００１０】
前記所定の領域とは、フォルダであるようにすることができる。
【００１１】
前記記憶手段は、所定の領域とは異なる領域に、コンテンツデータを記憶し、所定の領域にコンテンツデータへのパスに関するデータを記憶するようにすることができる。
【００１２】
前記設定手段は、所定の領域を新たに設定できるようにすることができる。
【００１３】
前記設定手段は、プルダウン機能を有するボタンを備え、そのボタンが操作されることにより設定された所定の領域を設定するようにすることができる。
【００１４】
前記取得手段は、撮影、録画、録音のいずれかの処理により作成されたコンテンツデータを取得するようにすることができる。
【００１５】
本発明の情報処理方法は、コンテンツデータを取得する取得ステップと、取得ステップの処理で取得されるコンテンツデータを記憶する所定の領域を、取得ステップの処理でコンテンツデータが取得される前に設定する設定ステップと、取得ステップの処理でコンテンツデータが取得されたとき、設定ステップの処理で設定された所定の領域に、取得ステップの処理で取得されたコンテンツデータを記憶するように制御する制御ステップとを備えることを特徴とする。
【００１６】
本発明のプログラムは、コンテンツデータを取得する取得ステップと、取得ステップの処理で取得されるコンテンツデータを記憶する所定の領域を、取得ステップの処理でコンテンツデータが取得される前に設定する設定ステップと、取得ステップの処理でコンテンツデータが取得されたとき、設定ステップの処理で設定された所定の領域に、取得ステップの処理で取得されたコンテンツデータを記憶するように制御する制御ステップとをコンピュータに実行させることを特徴とする。
【００１７】
前記取得ステップは第１のプログラムとして構成され、前記設定ステップは第２のプログラムとして構成され、第１のプログラムは、第２のプログラムを起動するステップを含むようにすることができる。
【００１８】
本発明の情報処理装置および方法、並びにプログラムにおいては、コンテンツデータが取得される状態で、そのコンテンツデータを記憶する所定の領域の指定があった場合、その指定された領域に、取得されたコンテンツデータが、取得された時点で記憶される。
【００１９】
【発明の実施の形態】
以下に、本発明の実施の形態について図面を参照して説明する。図１は、本発明の情報処理装置を適用したＰＤＡ（Ｐｅｒｓｏｎａｌ　Ｄｉｇｉｔａｌ　Ａｓｓｉｓｔａｎｃｅ）の一実施の形態の外観の構成を示す図である。
【００２０】
図１に示されるように、ＰＤＡ１は、中央のヒンジ部１２を境に、表示部１１と本体部１３とに分けられており、ヒンジ部１２を介して折り畳み可能に形成されている。換言すると、表示部１１は、軸（不図示）を中心として回動して本体部１３に対して開閉自在とされている。さらに、表示部１１は、軸１２−１に対して略垂直な軸（不図示）を中心として本体部１３に対して回動自在とされている。即ち、表示部１１は、ヒンジ部１２と対向する面１１−３（ＬＣＤ２８が設けられている面１１−１と垂直な面）と平行に、回動されるようになされている。
【００２１】
表示部１１の面１１−１のほぼ全面には、ＬＣＤ（Ｌｉｑｕｉｄ　Ｃｒｙｓｔａｌ　Ｄｉｓｐｌａｙ）２８、および、ＬＣＤ２８の表面上に積層された透明なタッチパネル３６が設けられている。即ち、タッチペン３５が、ＬＣＤ２８上の任意の位置に配置されると、その座標がタッチパネル３６により検出され、検出された座標に対応する所定の処理が行われる。
【００２２】
例えば、いま、ＬＣＤ２８に、図２に示されるような画像が表示されているものとすると、ユーザは、タッチペン３５を操作して、ソフトボタン４１を押下する（タッチペン３５をソフトボタン４１上に配置させる）と、そのソフトボタン４１に割り当てられているアプリケーションソフトウェアが起動される。
【００２３】
また、タッチパネル３６の所定の領域（図１の例では、ＬＣＤ２８の図中下方の領域）には、文字を入力するための文字入力エリア２９が設けられており、文字入力エリア２９には、図２に示されるような種々のソフトボタン（例えば、後述するソフトキーボードを選択するためのソフトボタン４３）、および、所定の規則に規定されている特殊文字（例えば、書き始めの点、および、書き順が指定されており、かつ、一筆書きで書くことが可能な所定の形状の文字）を入力する領域としての特殊文字入力エリア４２が表示される。ユーザが、タッチペン３５を操作して、その特殊文字入力エリア４２上にそれらの特殊文字を書くと、その特殊文字が入力される。即ち、タッチペン３５が移動した軌跡がタッチパネル３６により検知され、その軌跡に対応する文字が入力される。
【００２４】
このように、ユーザは、タッチペン３５、および、ソフトウエアとしての文字入力エリア２９を利用して、容易、かつ迅速に文字を入力することができる。なお、ＬＣＤ２８の表示面上全体に渡ってタッチパネル３６が積層されているので、文字入力エリア２９のＬＣＤ２８に対する位置は、図１に示される位置に限定されず、例えば、図２に示される画像の上下左右が反転されると、文字入力エリア２９は、図１中上方に配置され、上下逆に表示される。このような場合においても、ユーザは、上述した例と同様に、文字を入力することができる。
【００２５】
図１に戻り、ヒンジ部１２には、図中右方に、ＰＤＡ１の電源をオンまたはオフ状態にする電源ボタン３１が、その左隣に、ＰＤＡ１に内蔵されているバッテリ（図示せず）が充電中の場合には点灯し、充電が終了すると消灯するＬＥＤ（Ｌｉｇｈｔ　Ｅｍｉｔｔｉｎｇ　Ｄｉｏｄｅ）３０が、さらにその左隣に、ＣＣＤ（Ｃｈａｒｇｅ　Ｃｏｕｐｌｅｄ　Ｄｅｖｉｃｅ）よりなる回動可能なカメラ２２が、左端には、カメラ２２で被写体を撮像するとき操作されるキャプチャーボタン２３が、それぞれ設けられている。なお、カメラ２２は、ＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）センサなどで構成されるようにしても良い。
【００２６】
即ち、ユーザは、被写体を撮像する場合、キャプチャーボタン２３を１回操作して、カメラ機能（被写体をカメラ２２により撮像し、その撮像された被写体の画像を記録する機能）を有するアプリケーションソフトウェアを起動させ、カメラ２２の撮像方向を被写体に向けるように回動させる。このとき、ＬＣＤ２８には、後述するように、カメラ２２が撮像している画像（被写体の画像）が表示されるので、ユーザは、ＬＣＤ２８を確認しながらカメラ２２の位置を確定し、シャッターボタンとして機能するキャプチャーボタン２３を再度操作する。これにより、キャプチャーボタン２３が操作された時点のカメラ２２により撮像された画像が、ＰＤＡ１のメモリに記憶される。
【００２７】
本体部１３の折り畳んだとき表示部１１に対向する面１３−１には、図中上方に、ＰＤＡ１にインストールされているアプリケーションソフトウェアのそれぞれを表すシンボルが印刷されたボタン３２が設けられており、ユーザがその指でボタン３２を操作すると、それに対応するアプリケーションソフトウェアが起動される。即ち、ボタン３２は、上述した図２のソフトボタン４１に対応するハードウエアとしてのボタンである。
【００２８】
なお、ボタン３２は、面１３−１の図１中上方に配置されているが、表示部１１が、軸１１−６を中心として回動されても、表示部１１の面（端面）１１−３側の左端、もしくは右端により、押下、または、接触されることがないように配置されている。これにより、表示部１１が軸１１−６を中心として回動される場合、表示部１１の面（端面）１１−３が、ボタン３２に接触して、それを誤って押下してしまうことを防止することが可能になる。
【００２９】
なお、ボタン３２の配置位置は、図１の例に限定されず、表示部１１の面（端面）１１−３の長辺（面１１−３と表示面１１−１との接線）の長さなどによって任意に定められることが可能である。
【００３０】
図１に戻り、また、面１３−１のボタン３２が配置されている領域の中央部には、ＬＣＤ２８に表示されている画像をスクロールするためのスクロールボタン３３が設けられている。さらに、面１３−１のボタン３２の下方には、文字（記号等を含む）を入力するためのキーボード３４が設けられている。
【００３１】
本体部１３の面１３−１と垂直な面（側面）１３−２の、図中上方には、リモートコントローラ（不図示）、または、外部のヘッドホンと接続し、接続したそれらに音声を出力するためのヘッドホンジャック２４が設けられており、その下方には、押下および回転自在なジョグダイヤル２５が面１３−２から僅かに突出した状態で設けられており、その下方には、直前の操作を取り消したりするためのバックボタン２６が設けられており、さらにその下方には、誤って他のボタンが操作された場合、それに対応する機能の実行を禁止するためのホールドスイッチ２７が設けられている。
【００３２】
本体部１３の面１３−１，１３−３に垂直な面（図中下側の端面）１３−４の、中央部には、後述するクレードル１５１等の付属機器を接続するためのコネクタ６７が設けられている。
【００３３】
図３は、ＰＤＡ１の内部構成例を示す図である。ＰＤＡ１のＣＰＵ（Ｃｅｎｔｒａｌ　Ｐｒｏｃｅｓｓｉｎｇ　Ｕｎｉｔ）１０１は、ＲＯＭ（Ｒｅａｄ　Ｏｎｌｙ　Ｍｅｍｏｒｙ）１０２に記憶されているプログラム、または記憶部１０３からＲＡＭ（Ｒａｎｄｏｍ　Ａｃｃｅｓｓ　Ｍｅｍｏｒｙ）１０４にロードされたプログラムに従って各種の処理を実行する。ＲＡＭ１０４にはまた、ＣＰＵ１０１が各種の処理を実行する上において必要なデータなども適宜記憶される。ＣＰＵ１０１、ＲＯＭ１０２、およびＲＡＭ１０４は、バス１０５を介して相互に接続されている。このバス１０５にはまた、ＬＣＤ２８に表示させる画像を制御する表示制御部１０６が接続されている。
【００３４】
表示制御部１０６には、ＣＰＵ１０１の制御に基づいて、上述したカメラ２２、および、ＬＣＤ２８の他、ＶＲＡＭ１０７が接続されている。表示制御部１０６は、カメラ２２により撮像された画像を、ＶＲＡＭ１０７に記憶させ、そのＶＲＡＭ１０７に記憶されている画像や、他のメモリ（記憶部１０３、ＲＡＭ１０４、スロット１０８に接続されたメモリスティック１０９）に記憶されている画像を、ＬＣＤ２８に表示させる。
【００３５】
カメラ２２は、所定の方向に走査して、被写体の画像をレンズを介して取り込む撮像素子としてのＣＣＤ、ＣＰＵ１０１の制御に基づいて、ＣＣＤによる撮像動作を開始させたり、終了させたりする他、走査方向等を適宜制御するＤＳＰ（Ｄｉｇｉｔａｌ　Ｓｉｇｎａｌ　Ｐｒｏｃｅｓｓｏｒ）、および、ＤＳＰの処理を実行させるプログラムや初期値データを記憶しているＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ　ｏｎｌｙ　Ｍｅｍｏｒｙ）などにより構成されている。
【００３６】
ＤＳＰには、内蔵ＲＡＭが設けられており、ＤＳＰは、ＣＣＤにより取り込まれた画像データを、ＣＣＤが走査した順に、内蔵ＲＡＭに順次記憶させ、ＣＰＵ１０１の指示に基づいて、内蔵ＲＡＭに記憶させた画像データを、アクセスユニット（フィールドまたはフレーム）を単位として表示制御部１０６に供給するように構成されていている。
【００３７】
図３に示した内部構成例の説明に戻り、バス１０５にはさらにまた、入出力インタフェース１１０も接続されている。入出力インタフェース１１０には、上述したキーボード３４、各種ボタン２３，３２，３３、ジョグダイヤル２５等からなる入力部１１１、タッチパネル３６、メモリスティック１０９が装着されるスロット１０８、ＰＤＡ１が内蔵するバッテリ（図示せず）を充電させるとともに、他の装置との通信の中継装置となるクレードル１５１等が接続されるコネクタ６７、ヘッドホンと接続される音声出力部としてのヘッドホンジャック２４が接続されている。
【００３８】
なお、タッチパネル３６により検出された座標は、入出力インタフェース１１０、バス１０５を介してＣＰＵ１０１に提供され、ＣＰＵ１０１は、提供されたその座標に対応する所定の情報を取得する。入出力インタフェース１１０にはまた、必要に応じて、フラッシュメモリ（ハードディスクなどでも良い）などより構成される記憶部１０３が接続される。外部装置に適宜装着される半導体メモリ、光ディスク、光磁気ディスク、或いは磁気ディスクなどから読み出されたコンピュータプログラムは、クレードル１５１を介する有線通信等の手段により、必要に応じてＰＤＡ１に対して供給され、記憶部１０３にインストールされる。または、スロット１０８に適宜装着されるメモリスティック１０９から読み出されたコンピュータプログラムも、必要に応じて記憶部１０３にインストールされる。
【００３９】
入出力インタフェース１１０にはさらにまた、表示部１１（図１）が本体部１３に対して閉状態の場合、オン状態となり、かつ、表示部１１が本体部１３に対して開状態の場合、オフ状態となるＬＣＤ開閉スイッチ１１３、表示部１１が所定の回動角度以上回動された場合にオン状態となるＬＣＤ回転スイッチ１１４、および、カメラ２２が所定の回動角度以上回動された場合にオン状態となるカメラ回転スイッチ１１５が設けられている。
【００４０】
即ち、この例においては、ＣＰＵ１０１は、ＬＣＤ開閉スイッチ１１３、ＬＣＤ回転スイッチ１１４、および、カメラ回転スイッチ１１５の、それぞれのオン状態またはオフ状態に基づいて、表示部１１の本体部１３に対する開閉の状態（以下、ＬＣＤ開閉状態と称する）、および回動状態、並びに、カメラ２２の回動状態を認識する。
【００４１】
図４は、ＲＯＭ１０２または記憶部１０３に記憶され、必要に応じ、ＲＡＭ１０４に展開され、ＣＰＵ１０１が所定の処理を行うときのプログラムの構成を示す図である。ＯＳ２０１は、例えば、パームＯＳ（Ｐａｌｍ　ＯＳ）（商標）などである。ＯＳ２０１が起動された状態で起動され、所定の処理を実行するソフトウェア（プログラム）として、ここでは、カメラ２２の画像の撮像を制御するための撮像処理ソフトウェア２０２と、カメラ２２により撮像された画像を含み、画像の表示などを処理を実行するためのアルバム処理ソフトウェア２０３が記憶されている。
【００４２】
図５のフローチャートを参照して、ＰＤＡ１において行われる画像の撮像に関わる処理について説明する。なお、ここでは、画像の撮像に関して説明し、扱うデータは、画像データとして説明するが、他のコンテンツのコンテンツデータを扱うようにしても良い。ステップＳ１１において、撮像処理ソフトウェア２０２が起動される。この撮像処理ソフトウェア２０２が起動されるタイミングとしては、ＰＤＡ１の電源がオンされている状態で、ユーザが図１のキャプチャーボタン２３を操作したときなどである。
【００４３】
キャプチャーボタン２３が操作されると、ＣＰＵ１０１は、記憶部１０３に記録されている、カメラ機能を実現する撮像処理ソフトウェア２０２を起動させ、カメラ２２による撮像を開始させる。これにより、撮像処理が開始される。このように、撮像処理ソフトウェア２０２が起動されることにより、図６に示したような画面がＬＣＤ２８上に表示され、ＰＤＡ１において、撮像を開始することが可能な状態とされる。
【００４４】
図６に示した画像を撮像する際の画面について説明する。ＬＣＤ２８の上側には、カメラ２２で撮像されている画像が表示される撮像画像表示部２１１が設けられている。撮像画像表示部２１１の下側には、アルバム名が表示されるアルバム名表示欄２１３が設けられており、その左側には、アルバムを選択する際に操作されるアルバム選択ボタン２１２が設けられている。
【００４５】
また、アルバム名表示欄２１３の右側には、撮像画像表示部２１１に表示されている画像を撮像する際に操作される撮影ボタン２１４も設けられている。この撮影ボタン２１４は、タッチペン３５などで操作され、基本的に、キャプチャーボタン２３と同等の機能を実行するために設けられている。
【００４６】
図５のフローチャートの説明に戻り、ステップＳ１２において、アルバムの選択があったか否かが判断される。このアルバムの選択があったか否かの判断は、アルバム選択ボタン２１２が操作されたか否かを判断することにより行われる。
【００４７】
ユーザは、アルバム選択ボタン２１２を操作することにより選択されたアルバム名に対応するフォルダ（すなわち、ＲＡＭ１０４などの所定の記憶手段の所定の領域（場所））に、撮像した画像の画像データを記憶させることができる。すなわち、画像を撮像する前に、撮像される画像の画像データを、所望のアルバムに対応するフォルダに分類するための設定が行えるようになっている。従って、ユーザは、画像を撮像した時点より後の時点で、わざわざ、撮像された画像を分類するといった処理を行わなくても良い。
【００４８】
ステップＳ１２において、アルバムの選択があったと判断されると、ステップＳ１３に進む。ステップＳ１３において、アルバム処理ソフトウェア２０３が起動される。この際、起動されるのは、アルバム処理ソフトウェア２０３のうちのアルバムの選択に関する処理を実行する機能だけである。アルバム処理ソフトウェア２０３は、例えば、記憶部１０３やメモリスティック１０９に記憶されている画像データに基づく画像に関する処理を行うときに起動されるソフトウェアであるが、さまざまな機能を有しており、それらの全ての機能を実行するためのソフトウェアが、ステップＳ１２において起動されるわけではなく、ステップＳ１２以下の処理を実行するうえで、必要となる機能だけが起動される。ここでは、この機能を、アルバム選択機能ソフトウェアと称する。
【００４９】
アルバム選択機能ソフトウェアは、上述したような処理により、撮像処理ソフトウェア２０２の指示により起動されることもあるし、アルバム処理ソフトウェア２０３自身の指示により起動されることもある。アルバム選択機能ソフトウェアは、自己を起動させたソフトウェアを認識することができるようになっており、その起動させたソフトウェアに対応する処理を行うようになっている。
【００５０】
具体的には、アルバム選択機能ソフトウェアが撮像処理ソフトウェア２０２により起動された場合、そのアルバム選択機能ソフトウェアによる処理が終了されると、撮像処理ソフトウェア２０２による処理に戻され、アルバム選択機能ソフトウェアがアルバム処理ソフトウェア２０３により起動された場合、そのアルバム選択機能ソフトウェアによる処理が終了されると、アルバム処理ソフトウェア２０３による処理に戻される。
【００５１】
ステップＳ１３において、アルバム処理ソフトウェア２０３の機能の一部を実行するアルバム選択機能ソフトウェアが起動されると、その起動されたアルバム選択機能ソフトウェアにより、ステップＳ１４において、アルバムが存在するか否かが判断される。すなわち、既に、アルバムとしてフォルダが存在しているか否かが判断される。既に作成されたアルバムのフォルダが存在すると判断された場合、ステップＳ１５に進み、既に作成されているアルバムの一覧表示が行われる。
【００５２】
アルバムの一覧表示としては、図７に示したように、サムネイル画像とアルバム名から構成されるような画面でも良いし、図示はしないが、アルバム名だけで（テキストだけで）構成されるような画面でも良い。図７に示した画面例においては、サムネイル画像とアルバム名が表示されているが、サムネイル画像は、対応するアルバムのフォルダに記憶されている画像のうちの１枚である。
【００５３】
ＬＣＤ２８上には、サムネイル画像（アルバム名）間を移動できるカーソル２３１も表示されており、ユーザは、このカーソル２３１を、入力部１１１（図３）としての、例えば、ジョグダイヤル２５を操作することにより、所望のサムネイル画像上に移動させることが可能とされているし、タッチペン３５で直接タッチすることにより選択できるようにもなっている。図７に示した画面においては、“旅行”というアルバム名（サムネイル画像）上にカーソル２３１が位置しており、他のアルバム名と区別が付くように表示されている状態を示している。
【００５４】
ＬＣＤ２８上には、サムネイル画像が一覧表示されている下側に、“未選択”ボタン２３２、“新規”ボタン２３３、および、“キャンセル”ボタン２３４という３つのボタンが表示されている。“未選択”ボタン２３２は、表示されているアルバム名に対応するフォルダには、撮像された画像の画像データを記憶させない、換言すれば、撮像時には、撮像された画像の画像データを分類するようなことはしないということが所望されたときに操作されるボタンである。
【００５５】
“新規”ボタン２３３は、表示されているアルバム名以外のアルバム名（フォルダ）を新規に作成することが所望されたときに操作されるボタンである。“キャンセル”ボタン２３４は、アルバム名（フォルダ）を選択せず（変更せず）に、この処理を終了させるときに操作されるボタンである。
【００５６】
図５のフローチャートの説明に戻り、ステップＳ１５において、図７に示したようなアルバムの一覧表示が行われると、ステップＳ１６において、アルバムの新規作成が指示されたか否かが判断される。ステップＳ１６における判断は、“新規”ボタン２３３（図７）が操作されたか否かが判断されることにより行われる。
【００５７】
ステップＳ１６において、“新規”ボタン２３３が操作されたと判断された場合、ステップＳ２３に進み、“新規”ボタン２３３は操作されていないと判断された場合、ステップＳ１７に進む。
【００５８】
ステップＳ１７において、ユーザによるアルバムの選択、および決定が行われ、その決定に対応する処理が引き続き実行される。アルバムの選択は、ユーザがカーソル２３１を所望のサムネイル画像（アルバム名）上に、例えば、入力部１１１としてのジョグダイヤル２５を操作させ移動させることにより行われる。決定は、さらに、例えば、ジョグダイヤル２５を押下するなどの所定の処理が実行されることにより指示が出される。なお、選択可能なアルバムには、後述するステップＳ２３における処理でアルバムが新規作成された場合、その新規作成されたアルバムも含まれる。
【００５９】
なお、ステップＳ１７におけるアルバムの選択および決定の処理には、“未選択”ボタン２３２が操作されたか否かも含めて判断される。未選択というのは、上述したように、撮像された画像の画像データを既に作成されているアルバムに対応するフォルダに記憶しないというときに選択されるフォルダであり、アルバムのフォルダと同一に扱う（アルバム名として未選択というアルバムがあるとして扱う）ことが可能である。
【００６０】
なお、図５のフローチャートには示していないが、“キャンセル”ボタン２３４が操作された場合、割り込み処理として処理が行われ、ステップＳ１９に処理が進む。
【００６１】
ステップＳ１７において、アルバムの選択および決定が行われると、その決定されたアルバム名の表示が、ステップＳ１８において行われる。ステップＳ１８におけるアルバム名の表示の処理について説明するに、図８に示したように、アルバム名表示欄２１３に選択されたアルバム名が表示される。図８に示した画面は、図６に示した画面と基本的に同様であるが、アルバム名表示欄２１３に表示されているアルバム名だけが異なる。
【００６２】
すなわち、アルバム処理ソフトウェア２０３のアルバム選択機能ソフトウェアの制御のもと行われたアルバム選択のための処理が終了されると（従って、アルバム選択機能ソフトウェアは、起動状態が解除される）、撮像処理ソフトウェア２０２による処理に切り換えられる。そのために、アルバムの選択が指示される前の画面（すなわちこの場合、図６に示した画面）に、ＬＣＤ２８上の画面が切り換えられる。
【００６３】
図６と図８に示した画面を比較するに、すなわち、アルバムが選択される前の画面と、アルバムが選択された後の画面を比較するに、アルバムが選択された後の画面においては、そのアルバム名表示欄２１３に表示されるアルバム名が、選択されたアルバム名に変更されているだけであり、基本的な画面の構成は変わらない。例えば、図６においては、“未選択”というアルバム名（ここでは、未選択というのもアルバム名に含まれるとする）が、“旅行”というアルバム名に変更されている。
【００６４】
このように、アルバムを選択する前の画面に表示が切り替えられることより、ユーザは、カメラ２２による画像の撮像が可能な状態になったことを認識できるととももに、その画面に表示されているアルバム名表示欄２１３に表示されているアルバム名を参照することにより、所望のアルバムに撮像された画像が分類されることを認識することが可能である。
【００６５】
図８に示したような、選択されたアルバム名が表示されている画面を参照して、画像の撮像の処理が開始されるわけだが、その画像の撮像について説明する前に、図９のフローチャートを参照して、ステップＳ２３において行われるアルバムの新規作成の処理について説明する。
【００６６】
ステップＳ２３には、まず、ステップＳ１４において、作成されているアルバムは存在しないと判断されたときにくる。このときは、アルバムが存在していないため、新たに、アルバムを作成する必要がある。また、ステップＳ１６において、“新規”ボタン２３３が操作されたときにもステップＳ２３に処理が進む。
【００６７】
なお、ここでは、ステップＳ１４において、アルバムが存在していないと判断されると、ステップＳ２３に進むとしたが、アルバムが存在している、していないにかかわらず（すなわち、ステップＳ１４の処理を行わず）、ステップＳ１５における処理がステップＳ１３の処理に後に引き続き行われ、その後、ステップＳ１６の処理が行われ、そのステップＳ１６における処理で、新規作成がユーザにより指示されたと判断されたときだけ、ステップＳ２３における新規作成の処理が行われるようにしても良い。
【００６８】
このようにした場合、ステップＳ１５において、アルバムが存在していないときには、一覧表示させるためのアルバム名やサムネイル画像が存在していないため、図７に示したような画面において、それらのアルバム名やサムネイル画像が、いっさい表示されていない画面が表示される。そのようなサムネイル画像（アルバム名）が表示されていない画面を参照することにより、ユーザは、作成されているアルバムが存在しないことを認識し、その認識に基づき、“新規”ボタン２３３を操作する。このような流れにより、ステップＳ２３の新規作成の処理が行われるようにしても良い。
【００６９】
どのようなタイミングでアルバムの新規作成の処理が実行させるようにしても良い。図９のフローチャートを参照してアルバムの新規作成に関わる処理について説明するに、ステップＳ４１において、アルバムの設定が行われる。このアルバムの設定とは、まず、図１０に示したような画面において行われる。図１０に示したような画面は、図７に示した画面において、“新規”ボタン２３３が操作されると、画面が切り換えられることにより表示される。
【００７０】
図１０に示したような画面において、アルバム名、そのアルバムが属するグループ、アルバムが作成される場所（画像データが記憶される場所（換言すれば、画像データが記憶される所定の領域を示す位置））、そのアルバムに対するコメントなどの情報が書き込まれる。
【００７１】
画像データが記憶される場所としては、ここでは、記憶部１０３とメモリスティック１０９が選択できるようになっている。すなわち、ＰＤＡ１自体の記憶部１０３に画像データを記憶させるか、交換可能の記録媒体であるメモリスティック１０９に画像データを記憶させるかが選択できるようになっている。
【００７２】
このようにして、図１０に示した画面において、アルバムに関する情報が設定され、表示されている“ＯＫ”ボタンが操作されると、図１１に示したような画面に、ＬＣＤ２８上の画面が切り換えられる。図１１に示したような画面においては、ステップＳ４２の処理であるテンプレートの選択が行われる。テンプレートとは、アルバム内の画像を表示させるときに、どのような情報と共に表示させ、どのような配置で画像と情報を表示させるかを決定するためのものである。例えば、図１１に示した画面においては、“日記”、“グルメ”、“コレクション”、“レシピ”、および、“レジャー”というテンプレートが設けられていることが示されている。
【００７３】
このような、図１１に示したような画面において、テンプレートの選択が終了される（例えば、所定のテンプレート上にカーソルが位置する状態で、ジョグダイヤル２５が押下されるなどの操作がされる）と、ステップＳ４３において、アルバム情報の確認が行われる。アルバム情報の確認のための画面の一例を図１２に示す。
【００７４】
ステップＳ４３におけるアルバム情報の確認とは、ステップＳ４１とステップＳ４２において設定された事項をまとめて表示することにより、ユーザに、そのような事項で良いか否かの最終的な判断を行わせるための処理である。このステップＳ４３の処理において、ユーザによる確認が終了され、“ＯＫ”ボタンが操作されると、アルバムの新規作成の処理は終了される。
【００７５】
このように作成されたアルバムは、ステップ１５（図５）以降において、既に作成されているアルバムと同様に扱われる。
【００７６】
図５のフローチャートの説明に戻り、図８に示したような画面がＬＣＤ２８に表示されている状態のとき、ユーザは画像の撮像（キャプチャ）を行うことができる。ステップＳ１９において、ユーザの指示に基づき、キャプチャの処理が実行される。ステップＳ１９におけるキャプチャの処理は、ステップＳ１２において、アルバムの選択は指示されていないと判断されたときにも来る。
【００７７】
ステップＳ１２において、アルバムの選択は指示されていないと判断されるときには、図６に示したような画面であるが、図６に示したような画面も、上述したように、キャプチャを行うときにＬＣＤ２８上に表示される画面である。なお、アルバムが選択されないような場合、換言すれば、撮像処理ソフトウェア２０２が起動されたデフォルトの状態では、アルバム名表示欄２１３に表示されるアルバム名は、アルバムを設定しないことを示す（画像データを分類しないことを示す）“未選択”と表示される（設定されている）ようにしても良いし、前回、撮像処理ソフトウェア２０２による処理が終了された時点で設定されていたアルバム名が表示される（設定されている）ようにしても良い。
【００７８】
ここでは、デフォルトとしては、“未選択”とアルバム名表示欄２１３に表示されるとして説明する。
【００７９】
ステップＳ１９において行われるキャプチャの処理は、ユーザが、キャプチャボタン２３（図１）、または、撮影ボタン２１４（図６、図８）を操作したタイミングで行われる。
【００８０】
キャプチャが行われると、ステップＳ２０において、そのキャプチャされた画像の画像データがＲＡＭ１０４（図３）に一時的に保存される。ステップＳ２０において、画像データがＲＡＭ１０４に一時的に保存されると、ステップＳ２１において、アルバムが指定されているか否かが判断される。ステップＳ２１において、アルバムが指定されているか否かを判断するのは、アルバムが指定されている場合と、指定されていない場合とでは、画像データを記憶させる場所が異なってくるからである。
【００８１】
詳細は、フローチャートの説明が終了した後に説明するが、画像データが記憶される場所（フォルダ）と、その画像データとアルバムとの関係を示すデータが記憶される場所（フォルダ）は、異なるフォルダに記憶される。
【００８２】
ステップＳ２１において、アルバムが指定されていると判断されるのは、図８に示したような画面、すなわち、画像のキャプチャを行うときに表示されている画面において、アルバム名表示欄２１３に表示されているアルバム名が、“未選択”のとき以外であるとして、ここでは説明するが、他の条件のときにも、アルバムが指定されている（または指定されていない）と判断されるようにしても良い。
【００８３】
ステップＳ２１において、アルバムは指定されていないと判断された場合、ステップＳ２４において、未選択の画像データが記憶されるフォルダとして設定されているフォルダに、キャプチャされた画像の画像データが記憶される。
【００８４】
一方、ステップＳ２１において、アルバムが指定されていると判断された場合、ステップＳ２２に進み、設定されているアルバムのフォルダに画像データが記憶される。画像データが記憶（保存）される先は、選択されたアルバムのフォルダが設けられるとして設定されている場所であり、ステップＳ４１（図９）においてアルバムの設定の処理の１つの処理として、図１０に示したような画面が参照されることにより設定された保存場所である。この場合、保存場所としては、記憶部１０３か、または、メモリスティック１０９である。
【００８５】
ステップＳ２２において行われる画像データの保存について、図１３のフローチャートを参照して説明する。ステップＳ６１において、登録（保存）先のアルバムが存在しているか否かが判断される。例えば、保存場所としてメモリスティック１０９が指定されている場合、メモリスティック１０９自体は、ＰＤＡ１に対して着脱自在であるため、異なるメモリスティック１０９が、ＰＤＡ１に装着されていることが考えられる。
【００８６】
そのような場合、例えば、メモリスティック１０９’に、ユーザが指定したアルバムに対応するフォルダが作成されているが、その時点で、ＰＤＡ１に装着されているメモリスティック１０９が、メモリスティック１０９’とは異なるメモリスティック１０９”であったときには、ステップＳ６１において、登録先のアルバムは存在しないとして判断される。
【００８７】
ステップＳ６１において、登録先のアルバムが存在していないと判断された場合、その後の処理を続けることができないため、図１３に示したフローチャートの処理は終了される。この際、ユーザに、登録先として指定されたアルバムに対応するフォルダが存在していないために、画像データを保存することができないということを認識させるメッセージを表示させるようにしても良い。また、そのようなメッセージが表示されるとともに、例えば、“未選択”が選択された際に画像データが記憶されるフォルダに、画像データが記憶されるようにしても良い。
【００８８】
一方、ステップＳ６１において、登録先のアルバムが存在していると判断された場合、ステップＳ６２に進み、登録する画像データが存在するか否かが判断される。通常、画像が撮像され、ＲＡＭ１０４に画像データが一旦保存されている状態で、この処理が行われるため、この処理において、登録データが存在しないと判断されることはないが、何らかのエラーのために、存在しないことが考えられるため、このような処理が設けられている。
【００８９】
ステップＳ６２において、登録データが存在しないと判断された場合、保存するデータがないことになるので、図１３に示したフローチャートの処理は終了される。その際、そのような処理が行われたことをユーザに認識させるようなメッセージがＬＣＤ２８上に表示されるようにしても良い。一方、ステップＳ６２において、登録データが存在すると判断された場合、ステップＳ６３に進む。
【００９０】
ステップＳ６３において、ユーザが指定したアルバムに対応するフォルダ内に、撮像された画像の画像データが記憶（登録）される。この後、ユーザは、引き続き画像を撮像することが可能であり、また、アルバム名を変更することも可能とされている。アルバム名の変更が指示された場合、ステップＳ１２（図５）において、アルバムの選択があったと判断されたときと同等であるので、ステップＳ１２以降の処理が繰り返される。また、アルバム名が変更されずに、画像の撮像が引き続き行われる場合、ステップＳ１９以降の処理が繰り返し行われる。
【００９１】
そして、ユーザの指示により、カメラ２２により画像の撮像を終了すると指示された時点で、図５に示したフローチャートの処理は終了される。
【００９２】
このように、撮像（キャプチャ）が行われると、その時点で、画像データが分類されるので、ユーザは、取り溜めた画像を撮像した後の時点で、分類するといったことをしなくて良く、画像（アルバム）の管理をより簡便に、より使い勝手良く行うことが可能となる。
【００９３】
ここで、画像データの記憶について説明する。上述した実施の形態においては、画像データは、選択されたアルバムのフォルダに記憶されるとしたが、詳細を、図１４を参照して説明するに、例えば、記憶部１０３に画像データを記憶すると設定されている場合、記憶部１０３には、アルバム一覧フォルダ２５１と画像データフォルダ２５２という２つのフォルダが設けられている。
【００９４】
アルバム一覧フォルダ２５１は、図１５を参照するに、“アルバムＡ”というデータ内には、“画像Ａ１へのパス”の情報、“画像Ａ２へのパス”の情報、・・・、“アルバムＢ”というデータ内には、“画像Ｂ１へのパス”の情報、“画像Ｂ１へのパス”の情報、・・・、といったように、アルバム名と、そのアルバムに含まれる（分類されている）画像のパスに関する情報が記憶されている。
【００９５】
このように、アルバム一覧フォルダ２５１には、アルバム内の画像の画像データ自体が記憶されているのではなく、画像データが記憶されている場所を示す情報が記憶（登録）されている。画像データ自体は、画像データフォルダ２５２に記憶されている。
【００９６】
ここで、再度、図５のフローチャートの説明をするに、ステップＳ２０において、画像データが、ＲＡＭ１０４に記憶され、ステップＳ２２における処理で、そのＲＡＭ１０４に記憶された画像データが、画像データフォルダ２５２に移動され、その移動先の情報（すなわちパスの情報）が、アルバム一覧フォルダ２５１に記憶（登録）される。
【００９７】
このように、画像データと画像データが記憶されている場所に関する情報をことなるフォルダに記憶させることにより、以下のような利点がある。図１６を参照して説明する。まず前提として、アルバムＡとアルバムＢという２つの異なるアルバムが設定されている。このような状況下において、アルバムＡとアルバムＢで、共通の画像Ｃ１が参照されるようにする場合を考える。
【００９８】
このような場合、アルバム一覧フォルダ２５１内のアルバムＡに関するデータ内に、“画像Ｃ１へのパス”に関する情報を記憶させ、同様の情報を、アルバムＢに関するデータ内にも記憶させれば、アルバムＡとアルバムＢにおいて、同一の画像Ｃ１を参照できることになる。このようにすることで、同一の画像の画像データ自体を複数記憶する必要がなくなる。また、そのことにより、アルバムに関わるデータ量を小さくすることができ、記憶容量の効率の良い利用を行うことが可能となる。
【００９９】
このように、本実施の形態においては、撮像された画像が、撮像された時点で分類され、その画像の画像データと、その画像を参照するための情報は、別々のフォルダに管理されるため、画像の管理を簡便化することが可能となり、使い勝手を向上させることが可能となり、記憶容量の効率よい利用をはかることが可能となる。
【０１００】
なお、上述した実施の形態においては、画像データを扱う場合を例に挙げて説明したが、動画データや音声データを扱う場合にも本発明を適用できる。これらのデータの特徴としては、撮影する、あるいは録音するという動的な処理に対応してデータが作成されるものであり、リアルタイム性を有している。また、動的な処理が完結した際（すなわち、撮影が終了した際）始めて、データの作成が完了するという種類のデータである。
【０１０１】
さらに、これらのデータは、撮影、録音を次々に行うと、対応する画像データや音声データが多くなり、撮像した後の時点で、それらのデータを管理することが、ユーザにとって非常に煩雑な処理となってしまう。従って、本発明をこれらのデータに対して適用すると、データの管理に対して効果的である。
【０１０２】
なお、本発明を適用した場合においても撮像時に分類されなかった画像データは、後の時点で分類できることは言うまでもない。
【０１０３】
上述した実施の形態においては、アルバム選択ボタン２１２が選択されると、図７に示した画面例のように、別画面でアルバム名を選択する方法について記載したが、アルバム選択ボタン２１２のかわりとして、プルダウン機能を有するボタンを備え、図６の画面上で画面を切替えることなくアルバム名を選択できるようにしてもよい。
【０１０４】
すなわち、また、アルバムの選択に関してだが、例えば、図６に示した画面において、アルバム名表示欄２１３でアルバム名がプルダウンメニュー形式で一覧表示されるようにし、そのメニュー内から選択できるようにしても良い。このようにした場合、図１０乃至図１２を参照して説明したアルバムに関する設定を、図１０乃至図１２に示した画面において行うようにしなくても良く、例えば、プルダウンメニュー内から階層的に選択できるような仕組みを設けても良い。このようにした場合においても、基本的な処理は、上述した場合と同様に行うことが可能である。
【０１０５】
このようにした場合、画面を切り換えることなくアルバム名を選択できるようになるため、アルバムの選択の効率が増し、アルバムの選択がより簡易に行えるという効果を奏するものである。
【０１０６】
上述した一連の処理は、それぞれの機能を有するハードウェアにより実行させることもできるが、ソフトウェアにより実行させることもできる。一連の処理をソフトウェアにより実行させる場合には、そのソフトウェアを構成するプログラムが専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１０７】
図１７は、汎用のパーソナルコンピュータの内部構成例を示す図である。このパーソナルコンピュータは、例えば、ＰＤＡ１とクレードル１５１を介して接続される。パーソナルコンピュータのＣＰＵ（Ｃｅｎｔｒａｌ　Ｐｒｏｃｅｓｓｉｎｇ　Ｕｎｉｔ）３０１は、ＲＯＭ（Ｒｅａｄ　Ｏｎｌｙ　Ｍｅｍｏｒｙ）３０２に記憶されているプログラムに従って各種の処理を実行する。ＲＡＭ（Ｒａｎｄｏｍ　Ａｃｃｅｓｓ　Ｍｅｍｏｒｙ）３０３には、ＣＰＵ３０１が各種の処理を実行する上において必要なデータやプログラムなどが適宜記憶される。入出力インタフェース３０５は、キーボードやマウスから構成される入力部３０６が接続され、入力部３０６に入力された信号をＣＰＵ３０１に出力する。また、入出力インタフェース３０５には、ディスプレイやスピーカなどから構成される出力部３０７も接続されている。
【０１０８】
さらに、入出力インタフェース３０５には、ハードディスクなどから構成される記憶部３０８、および、インターネットなどのネットワークを介して他の装置とデータの授受を行う通信部３０９も接続されている。ドライブ３１０は、磁気ディスク３２１、光ディスク３２２、光磁気ディスク３２３、半導体メモリ３２４などの記録媒体からデータを読み出したり、データを書き込んだりするときに用いられる。
【０１０９】
記録媒体は、図１７に示すように、パーソナルコンピュータとは別に、ユーザにプログラムを提供するために配布される、プログラムが記録されている磁気ディスク３２１（フレキシブルディスクを含む）、光ディスク３２２（ＣＤ−ＲＯＭ（Ｃｏｍｐａｃｔ　Ｄｉｓｃ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｃ）を含む）、光磁気ディスク３２３（ＭＤ（Ｍｉｎｉ−Ｄｉｓｃ）（登録商標）を含む）、若しくは半導体メモリ３２４などよりなるパッケージメディアにより構成されるだけでなく、コンピュータに予め組み込まれた状態でユーザに提供される、プログラムが記憶されているＲＯＭ３０２や記憶部３０８が含まれるハードディスクなどで構成される。
【０１１０】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０１１１】
また、本明細書において、システムとは、複数の装置により構成される装置全体を表すものである。
【０１１２】
【発明の効果】
本発明の情報処理装置および方法、並びにプログラムによれば、画像を撮像することができ、また、その画像を管理することが可能となる。
【０１１３】
また、本発明の情報処理装置および方法、並びにプログラムによれば、撮像時に、画像を分類することができ、もって、ユーザの画像の整理などにかかる処理を軽減させることが可能となる。
【図面の簡単な説明】
【図１】本発明を適用したＰＤＡの一実施の形態の外観の構成を示す図である。
【図２】ＬＣＤ上に表示される画面の一例を示す図である。
【図３】ＰＤＡの内部構成例を示す図である。
【図４】ソフトウェアの構成例を示す図である。
【図５】画像の撮像に関わる処理について説明するためのフローチャートである。
【図６】ＬＣＤ上に表示される画面の一例を示す図である。
【図７】ＬＣＤ上に表示される画面の一例を示す図である。
【図８】ＬＣＤ上に表示される画面の一例を示す図である。
【図９】アルバムの新規作成処理について説明するためのフローチャートである。
【図１０】ＬＣＤ上に表示される画面の一例を示す図である。
【図１１】ＬＣＤ上に表示される画面の一例を示す図である。
【図１２】ＬＣＤ上に表示される画面の一例を示す図である。
【図１３】指定されたアルバムに記憶するための処理について説明するためのフローチャートである。
【図１４】記憶部に記憶されているフォルダについて説明するための図である。
【図１５】アルバム一覧フォルダに記憶されているデータについて説明する図である。
【図１６】フォルダ間のデータの参照関係について説明する図である。
【図１７】媒体を説明する図である。
【符号の説明】
１　ＰＤＡ，　１１　表示部，　１３　本体部，　２２　カメラ，　２８　ＬＣＤ，　２９　文字入力エリア，　３５　タッチペン，　１０１　ＣＰＵ，　１０６　表示制御部，　１０７　ＶＲＡＭ，　１１３　ＬＣＤ開閉スイッチ，　１１４ＬＣＤ回転スイッチ，　１１５　カメラ回転スイッチ
【図１】
2004128803.tif 000003
【図２】
2004128803.tif 000004
【図３】
2004128803.tif 000005
【図４】
2004128803.tif 000006
【図５】
2004128803.tif 000007
【図６】
2004128803.tif 000008
【図７】
2004128803.tif 000009
【図８】
2004128803.tif 000010
【図９】
2004128803.tif 000011
【図１０】
2004128803.tif 000012
【図１１】
2004128803.tif 000013
【図１２】
2004128803.tif 000014
【図１３】
2004128803.tif 000015
【図１４】
2004128803.tif 000016
【図１５】
2004128803.tif 000017
【図１６】
2004128803.tif 000018
【図１７】
2004128803.tif 000019